(57)【特許請求の範囲】
【請求項１】
排気孔が設けられた表面蓋と、
前記表面蓋の下方に設けられ、且つ蒸気孔が設けられた内蓋と、
前記内蓋の下方に設けられ、且つ吸気孔が設けられた蓋板とを備え、
前記排気孔と前記蒸気孔と前記吸気孔が共に蒸気通路を形成しており、
前記蒸気通路に入った泡が泡内圧と負圧領域の圧力との圧力差により膨張して弾けるように、前記蒸気通路内には、前記負圧領域を発生させる負圧発生装置が設けられていることを特徴とする泡の溢れ出し防止機能を有する電気炊飯器。
【請求項２】
前記負圧発生装置は、前記吸気孔の入口に近接していることを特徴とする請求項１に記載の泡の溢れ出し防止機能を有する電気炊飯器。
【請求項３】
前記内蓋と前記蓋板との間に蒸気弁座が設けられており、前記蒸気弁座の上端は、前記内蓋と気密的に接続され、且つ前記蒸気弁座の下端は、前記蓋板と気密的に接続されており、前記蒸気弁座の上端には、前記蒸気孔と連通する上開口が設けられ、前記蒸気弁座の下端には、前記吸気孔と連通する下開口が設けられていることを特徴とする請求項１に記載の泡溢れ防止機能を有する電気炊飯器。
【請求項４】
前記負圧発生装置は、モータ軸を有するモータと、前記モータ軸の端末に設けられた羽根とを備え、前記モータは、前記表面蓋と前記内蓋の間に設けられており、前記羽根は、前記内蓋と前記蓋板の間に設けられており、前記モータ軸は、前記内蓋を通して前記羽根と接続されていることを特徴とする請求項１乃至３の何れか１項に記載の泡の溢れ出し防止機能を有する電気炊飯器。
【請求項５】
前記モータ軸には、コネクタが設けられており、前記モータ軸は、前記コネクタを介して前記羽根と接続していることを特徴とする請求項４に記載の泡の溢れ出し防止機能を有する電気炊飯器。
【請求項６】
前記モータ軸の端末には、第一磁性部材が設けられており、前記羽根には、前記モータ軸の軸方向又は径方向に沿って第一磁性部材と対向する第二磁性部材が設けられていることを特徴とする請求項４に記載の泡の溢れ出し防止機能を有する電気炊飯器。
【請求項７】
前記蒸気通路は、上下方向において曲線状に延びていることを特徴とする請求項１に記載の泡の溢れ出し防止機能を有する電気炊飯器。
【請求項８】
前記負圧発生装置は、モータ軸を有するモータと、前記内蓋に設けられ且つ前記内蓋から前記蓋板に向かって延びたシャフトと、シャフトを中心に回転自在な羽根とを備え、前記モータ軸は、前記内蓋を通らないで、前記モータ軸の端末には、第一磁性部材が設けられており、前記羽根には、前記モータ軸の軸線又は径方向に沿って前記第一磁性部材と対向する第二磁性部材が設けられていることを特徴とする請求項１乃至３の何れか１項に記載の泡の溢れ出し防止機能を有する電気炊飯器。
【請求項９】
前記負圧発生装置と電気的に接続する温度センサをさらに備えることを特徴とする請求項１乃至３の何れか１項に記載の泡の溢れ出し防止機能を有する電気炊飯器。
【発明の詳細な説明】
【技術分野】
【０００１】
本発明は、泡の溢れ出し防止機能を有する電気炊飯器及び電気炊飯器からの泡の溢れ出しを防止する方法に関する。
【背景技術】
【０００２】
電気炊飯器製品は、炊飯する過程とお粥を炊く過程において、器体の内部に重湯の泡が大量に生じる。製品に何の制御も加えないと、この重湯の泡は、蒸気通路を通じて器体の外部に排出され、製品の洗浄及び全体の安全性能に影響をもたらすことになる。
【０００３】
現在、重湯の溢れ出しを防止する方法としては、主に以下の方法がある。その一つは、蒸気通路（例えば、蒸気弁の内部）に交錯するリブを追加することにより、重湯の泡が器体の内部から器体の外部の空気と接触するまでの運動軌跡の全長を増やして、泡が移動中に表面張力の変化により弾けて、重湯の泡が器体の外部に溢れ出す比率を低減する方法である。もう一つは、蒸気通路の中にいくつかの部品を設けることにより、重湯の泡が移動中にこれらの部品に接触した時にこれらの部品に止められて突き破り、重湯の泡が器体の外部に溢れる比率を低減する方法である。さらにもう一つは、いくつかの特定の装置により、器体の内に発生した蒸気又は泡を器体の外部に排出しないように一つの独立した空間（例えば、水タンク）に導く方法である。
【発明の概要】
【発明が解決しようとする課題】
【０００４】
しかしながら、上記した前の二つ方法は、重湯の泡の量が多い時には、いずれも泡溢れ問題を完全に防止することができず、重湯の溢れ出し防止の信頼性が低い。また、三つ目の方法は、器体に別途に一つの独立した空間を設ける必要があるので、炊飯器体の空間の寸法が大きくなり、全体のコストが高くなり、洗浄が不便になる等、一連の問題をもたらす。
【０００５】
上記の問題を鑑みて、従来技術における欠陥を克服して、使用者の掃除性と安全性に対する要求に応じて、改善された泡の溢れ出し防止の構造及び方法を提供されることが望まれている。
【０００６】
本発明は、少なくともある程度上記の技術問題の一つを解決する、又は有用な商業選択を提供することを旨としたものである。
【０００７】
このために、本発明の一つの目的は、泡の溢れ出しを効率的に避けることができる電気炊飯器を提供することである。
【０００８】
本発明の一実施態様による泡の溢れ出し防止機能を有する電気炊飯器は、排気孔が設けられた表面蓋と、前記表面蓋の下方に設けられ、且つ蒸気孔が設けられた内蓋と、前記内蓋の下方に設けられ、且つ吸気孔が設けられた蓋板とを備え、前記排気孔と前記蒸気孔と前記吸気孔が共に蒸気通路を形成しており、前記蒸気通路に入った泡が泡内圧と負圧領域の圧力との圧力差により膨張して弾けるように、前記蒸気通路内には、前記負圧領域を発生させる負圧発生装置が設けられている。
【課題を解決するための手段】
【０００９】
本発明の一実施態様による泡の溢れ出し防止機能を有する電気炊飯器は、排気孔が設けられた表面蓋と、前記表面蓋の下方に設けられ且つ蒸気孔が設けられた内蓋と、前記内蓋の下方に設けられ且つ吸気孔が設けられた蓋板とを備え、前記排気孔と前記蒸気孔と前記吸気孔が共に蒸気通路を形成しており、前記蒸気通路内には負圧発生装置が設けられている。
【００１０】
本発明の一実施態様の電気炊飯器によれば、負圧発生装置を設けることにより、蒸気通路に入った泡が泡内圧と負圧との圧力差により膨張して弾けるため、泡の溢れ出しを避けることができ、且つ操作が簡単であり、コストも低くなる。
【００１１】
前記負圧発生装置は、前記吸気孔の入口に近接することが好ましい。
【００１２】
選択的には、前記内蓋と前記蓋板との間に蒸気弁座が設けられており、前記蒸気弁座の上端は、前記内蓋と気密的に接続され、且つ前記蒸気弁座の下端は、前記蓋板と気密的に接続されており、前記蒸気弁座の上端には、前記蒸気孔と連通する上開口が設けられ、前記蒸気弁座の下端には、前記吸気孔と連通する下開口が設けられている。
【００１３】
さらに、前記負圧発生装置は、モータ軸を有するモータと、前記モータ軸の端末に設けられた羽根とを備え、前記モータは、前記表面蓋と前記内蓋の間に設けられており、前記羽根は、前記内蓋と前記蓋板の間に設けられており、前記モータ軸は、前記内蓋を通して前記羽根と接続されている。
【００１４】
モータにより羽根を回転させることで、羽根の吸気孔のところに高速の気流が発生し、吸気孔の付近で局所負圧領域が形成される。
【００１５】
具体的には、前記モータ軸には、コネクタが設けられており、前記モータ軸は、前記コネクタを介して前記羽根と接続している。
【００１６】
好ましくは、前記モータ軸の端末には、第一磁性部材が設けられており、前記羽根には、前記モータ軸の軸方向又は径方向に沿って第一磁性部材と対向する第二磁性部材が設けられている。
【００１７】
羽根が磁力によりコネクタの端末に浮遊されているので、ユーザーが羽根を取り外して洗浄することが便利になる。
【００１８】
好ましくは、前記蒸気通路は、上下方向において曲線状に延びている。
【００１９】
具体的には、前記負圧発生装置は、モータ軸を有するモータと、前記内蓋に設けられ且つ前記内蓋から前記蓋板に向かって延びたシャフトと、シャフトを中心に回転自在な羽根とを備え、前記モータ軸は、前記内蓋を通らないで、前記モータ軸の端末には、第一磁性部材が設けられており、前記羽根には、前記モータ軸の軸線又は径方向に沿って前記第一磁性部材と対向する第二磁性部材が設けられている。
【００２０】
モータ軸が内蓋を通らないので、モータと電気炊飯器の炊飯器チャンバが完全に隔離されることを保証し、高温の水蒸気がモータの内部に入ることを防止でき、水蒸気がモータを壊すことを避けることができると共に、水蒸気がモータ内部の部品に接触して食品衛生の問題が発生することを避けることができる。
【００２１】
好ましくは、前記電気炊飯器は、前記負圧発生装置と電気的に接続する温度センサをさらに備える。
【００２２】
本発明の別の実施態様による電気炊飯器は、炊飯器チャンバを有する器体と、前記炊飯器チャンバを開閉するための蓋体とを備え、前記蓋体には、炊飯器チャンバを外界と連通させる蒸気通路が設けられており、前記蒸気通路内には、負圧領域を形成するための負圧発生装置が設けられており、前記泡が前記負圧領域を通過する時に弾けるように前記負圧領域内の圧力が前記蒸気通路内の泡内の圧力より小さい。
【００２３】
好ましくは、前記負圧領域は、前記蒸気通路と前記炊飯器チャンバとが連通する入口に近接している。
【００２４】
具体的には、前記蓋体は、排気孔が設けられた表面蓋と、前記表面蓋の下方に設けられ且つ蒸気孔が設けられた内蓋と、前記内蓋の下方に設けられ且つ吸気孔が設けられた蓋板とを備え、前記排気孔と前記蒸気孔と前記吸気孔は、共に蒸気通路を形成している。
【００２５】
本発明の実施例による電気炊飯器内の泡溢れを防止する方法は、蒸気通路が設けられている前記電気炊飯器に対して、前記蒸気通路内に負圧を発生するステップを含み、前記蒸気通路内に入った泡が前記負圧により弾ける。
【００２６】
本発明の実施例の電気炊飯器内の泡溢れを防止する方法によれば、負圧発生装置を設けることにより、蒸気通路に入った泡が泡内圧と負圧との圧力差により膨張し弾けることで、泡の溢れ出しを避けることができ、且つ操作が簡単であり、コストも低くなる。
【００２７】
好ましくは、前記負圧は、前記電気炊飯器内の蒸気温度が所定の温度より高くなったことを検出した後に発生する。
【００２８】
具体的には、前記負圧は、モータが羽根を駆動して回転させることにより発生する。
【００２９】
選択的に、前記負圧の値は、０．８５〜１大気圧である。
【図面の簡単な説明】
【００３０】
【図１】本発明の実施例による電気炊飯器の概略図である。
【図２】本発明の第１実施例による電気炊飯器の炊飯器蓋の底面図である。
【図３】図２におけるＡ―Ａ線に沿う断面図である。
【図４】本発明の第２実施例による電気炊飯器の炊飯器蓋の断面図である。
【図５】本発明の第３実施例による電気炊飯器の炊飯器蓋の断面図である。
【図６】本発明の第４実施例による電気炊飯器の炊飯器蓋の断面図である。
【図７】本発明の第５実施例による電気炊飯器の炊飯器蓋の断面図である。
【図８】図７に示す電気炊飯器の羽根とコネクタとの係合を示す概略図である。
【図９】本発明の第６実施例による電気炊飯器の炊飯器蓋の断面図である。
【図１０】本発明の第７実施例による電気炊飯器の炊飯器蓋の断面図である。
【発明を実施するための形態】
【００３１】
以下、添付する図面を参照して説明した実施例は、例示であって、本発明を解釈することを旨としており、本発明に対する限定と理解してはいけない。
【００３２】
なお、本発明の明細書において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「反時計回り」等の用語が示した方位又は位置関係は、図面に基づいて示した方位又は位置関係であり、単に本発明を簡単に説明しやすくするためのものであって、示された装置又は部品が必ず特定の方位を持って特定の方位で構成されて操作されることを明示又は示唆するものではないので、本発明に対する限定と理解してはいけない。本発明の明細書において、「複数」とは、明確に具体的に限定する場合を除き、二つ又は二つ以上のことを意味する。
【００３３】
本発明において、別途に明確な定義や限定がある場合を除き、「取り付ける」、「繋がる」、「接続」、「固定」等の用語は、幅広く理解されるべきであり、例えば、固定接続してもよく、取り外し可能に接続する又は一体に接続してもよく、機械的接続でもよく、電気的な接続でもよく、直接に接続してもよく、中間媒介を介して間接に接続してもよく、二つの部品の内部を連通してもよい。当業者にとっては、具体的な場合によって、上記用語の本発明における具体的な意味を理解できるであろう。
【００３４】
本発明において、別途に明確な定義や限定がある場合を除き、第一特徴が第二特徴の「上」又は「下」にあるとは、第一特徴と第二特徴とが直接接触することを含み、又、第一特徴と第二特徴とが直接接触することなくそれらの間に別の特徴を介して接触することも含む。また、第一特徴が第二特徴の「上」、「上方」又は「上面」にあるとは、第一特徴が第二特徴の真上及び斜め上にあることを含み、又、単に第一特徴の水平高さが第二特徴より高いことだけを表す。第一特徴が第二特徴の「下」、「下方」又は「下面」にあるとは、第一特徴が第二特徴の真下及び斜め下にあることを含み、又、単に第一特徴の水平高さが第二特徴より低いことだけを表す。
【００３５】
図１は、本発明の実施例による泡の溢れ出し防止機能を有する電気炊飯器の概略図であり、泡の溢れ出しを防止する原理を示す。電気炊飯器は、蓋体１００と器体２００とを備える。
【００３６】
さらに具体的には、器体２００内に食物を調理するための炊飯器チャンバを有しており、蓋体１００は、表面蓋１と、表面蓋１の下方に設けられた内蓋２と、内蓋２の下方に設けられた蓋板３とを備える。表面蓋１には、排気孔１１が設けられており、内蓋２には、蒸気孔２１が設けられており、蓋板３には、吸気孔３１が設けられている。蒸気孔２１は、排気孔１１及び吸気孔３１とそれぞれ対応しており、言い換えれば、蒸気孔２１の両端は、それぞれ排気孔１１及び吸気孔３１と繋がっているので、吸気孔３１と蒸気孔２１と共に閉じた蒸気通路を形成して、器体２００内から蒸気を排出するために用いられる。蒸気通路の一端は、外界と連通しており、他端は、器体２００の炊飯器チャンバと連通している。言い換えれば、図１に示すように、吸気孔３１の下端の入口は、器体２００の炊飯器チャンバと連通しており、排気孔１１の上端の出口は、外界と連通している。ここで、吸気孔３１の入口が前記蒸気通路の入口であり、排気孔１１の出口が前記蒸気通路の出口であることは理解できるであろう。
【００３７】
前記蒸気通路内には、負圧発生装置１０７が設けられている。負圧発生装置１０７は、前記蒸気通路内に負圧を発生するためのものであり、例えば、図１に示すように、負圧発生装置１０７は、前記蒸気通路内において負圧発生装置１０７の周辺で負圧領域１０９を形成する。
【００３８】
なお、ここで、「負圧」とは、前記蒸気通路内に入った泡の内部の圧力より低い圧力を指し、「負圧領域」とは、この領域内の圧力が前記蒸気通路内に入った泡の内部の圧力より低いことを指す。前記負圧の値は、通常０．８５〜１．０標準大気圧である。
【００３９】
本発明の実施例の電気炊飯器によれば、前記蒸気通路内に負圧発生装置１０７が設けられているため、負圧発生装置１０７がその付近で負圧領域（負圧空間、低圧領域又は低圧空間とも呼ばれる）１０９を形成し、この負圧領域１０９内の圧力が泡内の圧力より低い。それにより、泡が負圧領域１０９に入る時、泡内の圧力が泡外の圧力より大きいので、泡が圧力差の作用により急速に膨張して弾けるため、泡が蒸気と共に前記蒸気通路を通過して電気炊飯器が溢れることを防止することができる。
【００４０】
好ましくは、負圧領域１０９が吸気孔３１に近接するように、負圧発生装置１０７が吸気孔３１の入口に近接して設けられる。そうすることによって、前記蒸気通路内に入った泡をできるだけ早く弾けさせることができ、泡が電気炊飯器から溢れ出すことを防止する効果を高めることができる。
【００４１】
本発明のいくつかの好ましい実施例において、蒸気通路が蓋体１００内において曲線状に延びている。そうすることによって、前記蒸気通路の長さを延ばすことができ、泡の溢れ出す防止の効果を一層高めることができる。
【００４２】
好ましくは、本発明の実施例による電気炊飯器は、さらに負圧発生装置１０７と電気的に接続する温度センサ（図示せず）を備え、前記温度センサの検出した温度が所定の温度に達した時、負圧発生装置１０７が作動して前記蒸気通路内で負圧を発生させる。前記温度センサが炊飯器チャンバ内の温度を検出することができる。好ましくは、温度センサが蓋体１００内に設けられており、前記所定の温度は、炊飯器チャンバ内に間もなく泡が発生しようとする時の温度であってもよい。
【００４３】
例えば、使用時、器体２００の炊飯器チャンバ内の米水混合物１０８が加熱されて間もなく沸き立とうとする状態において、前記温度センサの検出した炊飯器チャンバ内の温度が所定の温度に達し、温度センサが信号を出して、負圧発生装置１０７が作動し始めることで、負圧発生装置１０７の付近で一部負圧領域１０９を形成し、炊飯器内の米水混合物１０８が加熱し続けられて沸き立つ状態に達し、重湯の泡が米水の中から溢れ始めて、蒸気及び／又は重湯の泡が図１の矢印Ｐが示す方向に沿って前記蒸気通路を通過する。泡が負圧領域１０９に入った後、重湯の泡内の圧力が重湯の泡外の圧力より大きいため、泡が圧力差の作用により急速に膨張し弾けて、泡の溢れ出しを避けることができる。
【００４４】
以下、図面を参照して本発明によるいくつかの具体的な実施例を説明する。
【００４５】
＜実施例１＞
図２及び図３に示すように、本発明の第一実施例による電気炊飯器は、蓋体１００が表面蓋１と内蓋２と蓋板３とを備える。蓋体１００内には、蒸気弁座９が設けられており、負圧発生装置１０７は、モータ軸４１を有するモータ４と、羽根６とを備える。内蓋２は、表面蓋１の下方に取り付けられており、表面蓋１には、排気孔１１が設けられており、表面蓋１の下方には、排気孔１１を囲んで内蓋２の方向に突出したリング状リブ１２が設けられており、内蓋２には、上端が排気孔１１と連通する蒸気孔２１が設けられており、リング状リブ１２と内蓋２の間には、表面蓋シールリング１０３が設けられている。蒸気弁座９は、内部チャンバ９１を有しており、内部チャンバ９１の下端には、開口が設けられており、内部チャンバ９１の開口は、上記吸気孔３１を構成しており、内部チャンバ９１は、蒸気孔２１及び器体２００の炊飯器チャンバと連通している。言い換えれば、蒸気弁座９が内蓋２と蓋板３との間に設けられており、且つ吸気孔３１が蒸気弁座９の内部チャンバ９１からなり、排気孔１１と蒸気孔２１と内部チャンバ９１とが蒸気通路を構成する。
【００４６】
図２に示すように、蒸気弁座９の上端開口は、内蓋２の下方に嵌められており、且つ内蓋２における蒸気孔２１と貫通孔２２を覆っており、内蓋２と蒸気弁座９との嵌め合い箇所にシールリブ７が設けられており、且つシールリブ７のところでシールを行なっている。
【００４７】
モータ４は、表面蓋１と内蓋２との間に設けられており、具体的には、内蓋２には蒸気孔２１に近接する箇所に貫通孔２２が設けられており、モータ４は、内蓋２の上方に固定されており、モータ４のモータ軸４１は、下に向かって貫通孔２２を通して羽根６と固定接続している。
【００４８】
羽根６は、内蓋２と蒸気弁座９との間の空間に取り付けられており、コネクタ５を介してモータ４と接続している。具体的には、モータ４のモータ軸４１には、コネクタ５が設けられており、コネクタ５は、プランジャコネクタであり、コネクタ５には、ボールプランジャ８が設けられており、羽根６は、コネクタ５のボールプランジャ８を介してコネクタ５に固定されている。モータ４が作動する時、モータ軸４１が羽根６を回転させて、蒸気通路内に負圧領域を形成する。
【００４９】
器体２００内の米水が沸き立って、蒸気が発生した時、蒸気は、吸気孔の内部チャンバ９１（即ち吸気孔３１）に入って、蒸気孔２１を経て、最終的に、排気孔１１より電気炊飯器から排出される。モータ４が作動する時、モータ軸４１は、羽根６を回転させ、羽根６は、吸気孔３１を介して炊飯器チャンバから吸気し、吸入した蒸気は、蒸気孔２１を介して排気孔１１より電気炊飯器から排出し、又、羽根６の付近で負圧領域を形成し、重湯の泡がこの負圧領域までに上昇した後、泡の内外に圧力差が存在しているため、泡が急速に膨張し破裂して、泡の溢れ出しを避けることができる。
【００５０】
＜実施例２＞
図４に示すように、本発明の第二実施例による電気炊飯器の蓋体１００は、表面蓋１と、内蓋２と、蓋板３とを備える。負圧発生装置１０７は、モータ４と羽根６とを備える。内蓋２は、表面蓋１の下方に取り付けられており、表面蓋１の下方には、排気孔１１を囲んで内蓋２の方向に突出したリング状リブ１２が設けられており、内蓋２には、蒸気孔２１が設けられており、蓋板３には、吸気孔３１が設けられており、リング状リブ１２と内蓋２との間には、表面蓋シールリング１０３が設けられている。なお、リング状リブ１２の内部チャンバが排気孔１１の一部を構成している。蓋板３と内蓋２との間には、シールリング１５が設けられており、吸気孔３１と蒸気孔２１とを覆っている。
【００５１】
モータ４は、表面蓋１と内蓋２との間に取り付けられており、具体的には、内蓋２には、蒸気孔２１に近接する箇所に貫通孔が設けられており、モータ４は、内蓋２の上方に固定されており、モータ４のモータ軸４１は、下に向かって貫通孔を通してコネクタ５とリジッド接続されており、コネクタ５は、羽根６と取り外し可能に固定接続されている。
【００５２】
羽根６は、内蓋２と蓋板３との間の空間に取り付けられており、又、コネクタ５を介してモータ４と接続している。具体的には、モータ４のモータ軸４１には、コネクタ５が設けられており、コネクタ５には、第一磁性部材（第一磁石）５１が設けられており、羽根６には、第二磁性部材（第二磁石）６１が設けられており、第二磁石６１と第一磁石５１の磁極は、径方向に配列されており、羽根６は、第二磁石６１と第一磁石５１の径方向の磁性吸引力によりモータ軸４１の端末に浮遊されている。モータ４が作動する時、モータ軸４１はコネクタ５を回転させ、第一磁石５１が第二磁石６１に対して軸方向の捻りモーメントを発生して羽根６を駆動して回転させる。
【００５３】
器体２００内の米水が沸き立って蒸気が発生したら、蒸気が吸気孔３１、蒸気孔２１を順に通過し、最終的に、排気孔１１より電気炊飯器外部に排出される。モータ４が作動する時、モータ軸４１は、羽根６を回転させ、羽根６は、吸気孔３１を介して炊飯器チャンバから吸気し、吸入した蒸気は、蒸気孔２１を介して排気孔１１より電気炊飯器から排出し、又、羽根６の付近で負圧領域を形成して、重湯の泡がこの負圧領域に上昇したら、泡の内外に圧力差が存在しているため、泡が急速に膨張し弾けて、泡の溢れ出しを避けることができる。
【００５４】
＜実施例３＞
図５に示すように、本発明の第三実施例による電気炊飯器は第二実施例と大体同じである。異なる点は、本実施例において、コネクタ５は、プランジャコネクタであり、羽根６は、ボールプランジャ８を介してコネクタ５に固定されている。モータ４が作動する時、モータ軸４１がコネクタ５を介して羽根６を回転させることにより、負圧領域を発生することになる。
【００５５】
＜実施例４＞
図６に示すように、本発明の第四実施例による電気炊飯器は、第二実施例と大体同じである。異なる点は、本実施例において、コネクタ５は、ねじコネクタであり、羽根６は、ナット１４のねじ締め付けによりコネクタ５に固定されている。モータ４が作動する時、モータ軸４１がナット１４を介して羽根６を回転させることにより、負圧領域を形成する。
【００５６】
＜実施例５＞
図７に示すように、本発明の第五実施例による電気炊飯器は、第二実施例と大体同じである。異なる点は、第二磁石６１と第一磁石５１の磁極が軸方向の配列を呈しており、羽根６は、第二磁石６１と第一磁石５１の軸方向の磁性吸引力により、モータ軸４１の端末に浮遊されている。具体的には、図８に示すように、コネクタ５は、非円形の柱状構造であり、羽根６には、柱状構造と対応する非円形の孔が設けられている。モータ４が作動する時、モータ軸４１は、コネクタ５を回転させ、コネクタ５は、非円形の柱状構造により、羽根６と共に回転させることにより、負圧領域を形成する。
【００５７】
＜実施例６＞
図９に示すように、本発明の第六実施例による電気炊飯器の蓋体１００は、表面蓋１と、表面蓋１の下方に取り付けられた内蓋２と、内蓋２の下方に嵌め合われた蓋板３とを備える。負圧発生装置１０７は、モータ４と、羽根６とを備える。羽根６とシールリング１５は、内蓋２と蓋板３との間に取り付けられており、表面蓋１には、排気孔１１が設けられており、内蓋２には、シャフト６２と蒸気孔２１が設けられており、羽根６は、シャフト６２に取り付けられており、蓋板３には、吸気孔３１が設けられている。モータ４は、表面蓋１と内蓋２との間に取り付けられており、モータ軸４１の端末には、コネクタ５が取り付けられており、コネクタ５には、第一磁石５１が設けられており、羽根６内には、第二磁石６１が設けられている。第一磁石５１と第二磁石６１は、上下に平行に配置されて、且つ磁極が異なる極を対応させている。モータ軸４１は、内蓋２を通らないので、羽根６と直接繋がることがなく、コネクタ５を介して羽根６と間接的に繋がることもない。
【００５８】
具体的には、羽根６は、シャフト６２に取り付けられ且つシャフト６２を中心として回転自在であり、羽根６は、第一磁石５１と第二磁石６１の磁力によって、内蓋２と蓋板３との間の空間に浮遊されている。
【００５９】
器体２００内の米水が沸き立ち、蒸気が発生したら、蒸気は、吸気孔３１に入って、内蓋２の蒸気孔２１を経て、最終的に、排気孔１１から電気炊飯器を排出する。モータ４が作動する時、モータ軸４１がコネクタ５を回転させて、この時、コネクタ５における第一磁石５１は、磁力により羽根６内の第二磁石６１を回転させるため、羽根６を回転させて、吸気孔３１を介して炊飯器チャンバから吸気し、吸入した蒸気は、蒸気孔２１を介して排気孔１１から電気炊飯器を排出し、又、羽根６の付近で負圧領域を形成し、重湯の泡がこの負圧領域に上昇したら、泡の内外に圧力差が存在しているため、泡が急速に膨張し弾けて、泡の溢れ出しを避けることができる。
【００６０】
＜実施例７＞
図１０に示すように、本発明の第七実施例による電気炊飯器は、第六実施例と大体同じである。異なる点は、モータ軸４１の端末に取り付けられた第一磁石５１と羽根６内の第二磁石６１とが同心に取り付けられており、羽根６の駆動力は、第一磁石５１と第二磁石６１との間の径方向の吸引力からなる。モータ４が作動する時、モータ軸４１がコネクタ５を回転させて、この時、コネクタ５における第一磁石５１は、磁力により羽根６内の第二磁石６１を駆動して回転させることで、負圧領域を形成する。
【００６１】
以下、本発明の実施例による電気炊飯器内の泡の溢れ出しを防止する方法を説明する。
【００６２】
本発明の実施例による電気炊飯器内の泡の溢れ出しを防止する方法は、電気炊飯器内の蒸気通路内に負圧を発生し、前記蒸気通路内に入った泡が前記負圧により弾けるステップを含む。
【００６３】
本発明の実施例において、前記負圧は、吸気孔の付近に設けられた羽根により発生する。羽根の回転により発生した負圧は、例えば０．８５〜１．０標準大気圧であり、この負圧は、泡内の圧力より低いので、泡が内外の圧力差により膨張し弾ける。なお、他の方法を用いて蒸気通路に負圧領域を形成することもできる。
【００６４】
好ましくは、前記電気炊飯器内の蒸気の温度が所定の温度より高くなってから、前記負圧を発生することにより、エネルギ消費を低減する。
【００６５】
本明細書の記述において、「一つの実施例」、「いくつかの実施例」、「例示」、「具体的な例示」又は「いくつかの例示」等の用語は、この実施例又は例示を結合して記述した具体的な特徴、構造、材料又は特性が本発明の少なくとも一つの実施例又は例示に含んでいることを意味する。本明細書において、上記用語の例示的な記述は、同じ実施例又は例示を指すとは限らない。また、記述した具体的な特徴、構造、材料又は特性は、何れの一つ又は複数の実施例又は例示において適切な方式で組み合わせることができる。
【００６６】
以上のように本発明の実施例を例示し記述したが、上記実施例は例示であり、本発明に対する限定と理解してはいけないことは理解できるものであろう。
【図１】
0005743989.tif 000002
【図２】
0005743989.tif 000003
【図３】
0005743989.tif 000004
【図４】
0005743989.tif 000005
【図５】
0005743989.tif 000006
【図６】
0005743989.tif 000007
【図７】
0005743989.tif 000008
【図８】
0005743989.tif 000009
【図９】
0005743989.tif 000010
【図１０】
0005743989.tif 000011